(57)【特許請求の範囲】
【請求項１】
蓋頭部と首部と胴部とを備える容器を保持する容器ホルダーであって、
上記容器の首部に係合して容器を保持する首係止部と、
該首係止部から伸びて、人が携帯しうる箇所に取り付けられ、上記容器を片持ち状態で吊
下げ支持する取付部とを備え、
上記容器の首部と胴部の間の肩部に当接する傾斜面を有する肩当接部を、上記首係止部の上記取付部の反対側のみに設け、
該首係止部の上記取付部の反対側上面には、上方に盛り上がる傾斜した頭部受け面を設けた
ことを特徴とする容器ホルダー。
【請求項２】
上記首係止部が、上記首部を嵌め込む小径孔部と上記蓋頭部を挿通させる大径孔部とからなる略ダルマ形状の開口孔を備えており、
該開口孔の小径孔部の近接位置に、上記肩当接部を設けた
ことを特徴とする請求項１記載の容器ホルダー。
【請求項３】
上記肩当接部を、上記首係止部の開口孔の大径孔部と小径孔部の間に形成される凸部を避けて、小径孔部側に設けた
ことを特徴とする請求項２記載の容器ホルダー。
【請求項４】
上記取付部には、折れ曲がり変形を許容する波形形状の変形許容部を設け、
該変形許容部を上記開口孔の大径孔部の周囲まで設けた
ことを特徴とする請求項２又は３記載の容器ホルダー。
【発明の詳細な説明】
【技術分野】
【０００１】
本発明は、いわゆるペットボトルや瓶のような液体を入れる容器を、人が携帯する際に用いる容器ホルダーに関するものである。
【背景技術】
【０００２】
従来から、飲料などの液体を持ち運ぶためにいわゆるペットボトルや瓶といった容器を使用することがあるが、ペットボトルや瓶には、通常取っ手等がないため携帯性が悪い。そこで、いわゆる「ペットボトルホルダー」という容器ホルダーを用いて、携帯することが知られている。
【０００３】
この容器ホルダーには、容器全体を包むようにして保持する袋状のものや、容器の一部を把持等して保持するものがある。袋状のものは、容器の大きさに対応して製作する必要があるため大きなものになる場合が多い。また、容器の大きさに対応して製作するため異なるサイズの容器には同じものが使えず汎用性が低いという問題もある。
【０００４】
一方、容器の一部を把持等して保持するものでは、こうした問題がなく容器ホルダー自体をコンパクトに構成でき、また異なるサイズの容器にも使える。もっとも、この容器の一部を把持等して保持するものは、様々なものが提案されており、例えば、下記特許文献１に記載されるものや、下記特許文献２に記載されるもの等が知られている。
【０００５】
まず、特許文献１には、ペットボトルの首部と胴部をそれぞれ弾性変形可能な抱持部と係合部とによって把持・係合して、ペットボトルを保持するものが開示されている。また、特許文献２には、ペットボトルの首部に係合する孔部を設け、この孔部でペットボトルの首部を引っ掛けることで、ペットボトルを吊下げ保持するものが開示されている。さらに、この特許文献２の図２には、ペットボトルの首部に孔部を係合させやすいように、孔部を略ダルマ形状にしたものが開示されている。
【先行技術文献】
【特許文献】
【０００６】
【特許文献１】特開２００１−２９４２４０号公報
【特許文献２】特開２００６−３４１９２３号公報
【発明の概要】
【発明が解決しようとする課題】
【０００７】
ところで、ペットボトルや瓶等を容器ホルダーで保持する場合には、ガタツキを抑えて保持した方が、安定して容器をしっかりと保持できる。
【０００８】
この点、特許文献１の容器ホルダーの場合、ペットボトルを首部と胴部の二か所で把持しているため、ガタツキなく安定してしっかりと保持できる。しかし、決められた所定の大きさの抱持部で、胴部を把持することから、胴部が太い場合には容器を差し込めず、また逆に胴部が細い場合には容器がガタついて把持できないという問題がある。このため、特許文献１の容器ホルダーでは、サイズが異なる容器を保持することができず汎用性が低いという問題がある。
【０００９】
一方、特許文献２の容器ホルダーの場合、そもそも容器の胴部を把持しないため、どのような大きな容器にも使用することができ、汎用性は高い。しかし、容器の首部、一か所を孔部に引っ掛けて支持しているだけであるため、どうしても、容器の保持にガタツキが
生じ、容器を安定してしっかりと保持できないという問題がある。
【００１０】
本発明は、かかる点に鑑みてなされたものであり、その目的とするところは、あらゆるサイズの容器に対応させることで汎用性を高めつつも、容器をガタツキなく安定してしっかりと保持できる容器ホルダーを提供することにある。
【課題を解決するための手段】
【００１１】
第１の発明は、蓋頭部と首部と胴部とを備える容器を保持する容器ホルダーであって、上記容器の首部に係合して容器を保持する首係止部と、該首係止部から伸びて、人が携帯しうる箇所に取り付けられ、上記容器を片持ち状態で吊下げ支持する取付部とを備え、上記容器の首部と胴部の間の肩部に当接する傾斜面を有する肩当接部を、上記首係止部の上記取付部の反対側のみに設けたものである。
【００１２】
上記の構成によれば、首係止部が容器の首部を係合保持して、首係止部から伸びる取付部が人の携帯できる箇所に取り付けられる。そして、首係止部に設けた肩当接部が容器の肩部に当接して容器を保持することになる。すなわち、容器ホルダーは、容器の首部を係合することで容器を保持しつつも、容器の肩部に対しても肩当接部が当接することで、容器のガタツキを抑えて容器を保持するのである。また、取付部の反対側に肩当接部を設定しているため、片持ち状態で傾いた容器を、しっかりと肩当接部に当接させることができる。
【００１３】
これにより、容器ホルダーは、容器のサイズに関わらず、容器を首部と肩部の複数個所で当接して保持することができるため、容器を確実にしっかりと保持できる。
【００１４】
また、この第１の発明は、首係止部の前記取付部が伸びる反対側には、上方に盛り上がる傾斜した頭部受け面を設けたものである。
【００１５】
上記の構成によれば、容器を容器ホルダーで携帯する際には、取付部で片持ち状態で吊下げ保持するため、首係止部の取付部の反対側が相対的に下がった状態に傾く。このとき、首係止部の上面と容器の蓋頭部との間には隙間が生じる可能性があるが、頭部受け面を設けているため、この間には隙間が生じない。
【００１６】
よって、容器ホルダーで容器を吊下げ保持する場合に、頭部受け面で隙間をなくして蓋頭部を支持できるため、ガタツキの発生を抑えて確実に容器を保持することができる。
【００１７】
第２の発明は、上記首係止部が、上記首部を係合する小径孔部と上記蓋頭部を挿通させる大径孔部とからなる略ダルマ形状の開口孔を備えており、該開口孔の小径孔部の近接位置に、上記肩当接部を設けたものである。
【００１８】
上記の構成によれば、首係止部の開口孔が略ダルマ形状となっているため、容器の首部を係合する際に、蓋頭部を大径孔部から挿通させて、首部を小径孔部側にスライド移動させるだけで、容器の首部を首係止部に簡単に係合させることができる。また、肩当接部が小径孔部に近接して設けられるため、首係止部の開口孔が略ダルマ形状であっても、小径孔部側で容器が保持されることにより、肩当接部に対して確実に容器の肩部を当接させることができ、容器の保持を確実に行うことができる。
【００１９】
よって、首係止部への容器の係合作業を容易に行いながらも、肩当接部で容器のガタツキを防いで、容器の保持を確実に行うことができる。
【００２０】
第３の発明は、上記肩当接部を、上記開口孔の大径孔部と小径孔部の間に形成した凸部を避けた小径孔部側に設けたものである。
【００２１】
上記の構成によれば、肩当接部が、大径孔部と小径孔部の間の凸部を避けて、小径孔部側に設けられるため、凸部の周囲では肩当接部がないことで剛性が低く、小径孔部の周囲では肩当接部があることで剛性が高くなる。
【００２２】
このため、容器の首部を小径孔部に係合させる際には、凸部の位置が変化しやすくなる。一方、容器の首部を小径孔部に係合した後には、小径孔部の変形が生じにくくなる。
【００２３】
よって、首係止部への容器の係合作業をより容易に行うことが可能になりつつも、首係
止部での容器のガタツキ等を防ぐことができる。
【００２４】
第４の発明は、上記取付部に折れ曲がり変形を許容する波形形状の変形許容部を設け、該変形許容部を上記開口孔の大径孔部の周囲まで設けたものである。
【００２５】
上記の構成によれば、折れ曲がり変形を許容する変形許容部を設け、その変形許容部を波形形状で構成して大径孔部の周囲まで設けているため、取付部の変形が変形許容部で促進されて、首係止部等での局所的な変形を防いで応力集中を緩和できる。また、大径孔部の周囲まで波形形状があることで、逆に大径孔部の剛性を、高めることができる。
【００２６】
よって、容器ホルダーの破損を防ぐとともに、波形形状を上手く利用して大径孔部の変形を抑えることができる。
【００２７】
なお、上記の「蓋頭部」とは、容器の蓋部材そのものであっても良いし、容器側に設けたストッパーのフランジ部を含めた、容器の頭部全体であっても良い。
【発明の効果】
【００２８】
以上のように、本発明によれば、容器ホルダーは、容器のサイズに関わらず、容器を首部と肩部の複数個所で当接保持することができるため、容器を確実にしっかりと保持できる。
【００２９】
したがって、本発明の容器ホルダーは、あらゆるサイズの容器に対応させることで汎用性を高めつつも、容器をガタツキなく安定してしっかりと保持できる。
【図面の簡単な説明】
【００３０】
【図１】本発明の実施形態１に係る容器ホルダーをペットボトルに係合した状態を示す斜視図である。
【図２】実施形態１に係る容器ホルダーの平面図である。
【図３】実施形態１に係る容器ホルダーの側面図である。
【図４】図２のＡ−Ａ線矢視断面図である。
【図５】ペットボトルを吊下げ保持した状態の容器ホルダーを説明する説明図である。
【図６】実施形態２に係る容器ホルダーをペットボトルに係合した状態を示す斜視図である。
【発明を実施するための形態】
【００３１】
以下、本発明の実施形態を図面に基づいて詳細に説明する。尚、以下の好ましい実施形態の説明は、本質的に例示に過ぎず、本発明、その適用物或いはその用途を制限することを意図するものではない。また、実施形態では容器の説明をペットボトルで行うが、本発
明の容器は、これに限定されるものではなく、瓶など内部に液体等を入れておくものであれば何でもよい。
【００３２】
図１は、本発明の実施形態１の容器ホルダーＨを、ペットボトルＰに装着した状態を示す図である。
【００３３】
まず、容器ホルダーＨで吊下げ保持するペットボトルＰについて説明する。ペットボトルＰは、図１に示すように、ボトル本体Ｐａと蓋部材Ｐｂで構成される。
【００３４】
ボトル本体Ｐａは、内部に所定容量の液体などを入れる大径の胴部Ｐ１を設けており、この胴部Ｐ１の上端から内方側にテーパ状に傾斜する肩部Ｐ２を設けている。そして、肩部Ｐ２の上方には、胴部Ｐ１より小径の首部Ｐ３を設けている。この首部Ｐ３の上側には、図示しないおねじ部を備えている。このおねじ部の下側には、蓋部材Ｐｂのストッパーとなる環状のフランジ部Ｐ４を設けている。
【００３５】
一方、蓋部材Ｐｂは、ボトル本体Ｐａのおねじ部と螺合し合う、図示しないめねじ部を内面に設けている。このめねじ部によって、蓋部材Ｐｂはボトル本体Ｐａに対して着脱自在になっている。
【００３６】
容器ホルダーＨは、こうして構成されるペットボトルＰの首部Ｐ３を、首係止部１の開口孔１１に係合することで、ペットボトルＰを吊下げ保持するようにしている。
【００３７】
この容器ホルダーＨは、プラスチック製の一体成型品で構成しており、例えばＡＢＳ樹脂等の合成樹脂で成形している。容器ホルダーＨは、上記の首係止部１のほかに、人が携帯する際に腰バンドなどに引っ掛ける係合フック２、この係合フック２から連なり首係止部１までを一体化する帯状部３、さらに、首係止部１に一体的に設けられた肩当接部４とを備えている。
【００３８】
図２、図３及び図４を使って、この容器ホルダーＨについて、詳細に説明する。
【００３９】
首係止部１は、図２に示すように、その中央に略ダルマ形状に開口する開口孔１１を設けている。この開口孔１１の略ダルマ形状は、大径孔部１２の中心Ｎと小径孔部１３の中心Ｑとを水平方向（図２の紙面で横方向）にオフセットさせることにより構成している。
【００４０】
小径孔部１３は、ペットボトルの首部Ｐ３の径（例えば２７．０ｍｍ）よりもやや大きな径ｄ１（例えば２７．５ｍｍ）に設定して、大径孔部１２は蓋部材Ｐｂの径（例えば３２．０ｍｍ）より大きな径ｄ２（例えば３４．０ｍｍ）に設定している。
【００４１】
このように首係止部１の開口孔１１を略ダルマ形状にすることで、大径孔部１２においてペットボトルＰの蓋部材Ｐｂを下方から挿通させて、この挿通させたペットボトルＰを横方向にスライド移動させることで、小径孔部１３に対してペットボトルＰの首部Ｐ３を嵌め込むことができる。
【００４２】
また、首係止部１の開口孔１１の寸法を上記のような寸法にすることで、あらゆる種類やサイズのペットボトルを吊上げ保持することができる。なぜなら、市販のペットボトルの首部Ｐｂと蓋部材Ｐ３の大きさがほぼ全て統一されているからである。
【００４３】
さらに、大径孔部１２と小径孔部１３との間には、各円弧によって内方に突出した凸部１４，１４が対向して二つ形成されている。この凸部１４，１４は、首部Ｐ３を小径孔部１３に、嵌め込んだり取り外したりする際の分節点となって、嵌め込み操作や取り外し操
作の際の節度感を出している。
【００４４】
また、開口孔１１の周縁には、立縁部１５が立設されており、この立縁部１５の上面には、ペットボトルＰのフランジ部Ｐ４に当接する受け面１５ａを設けている。このうち小径孔部１３側の受け面には、図３に示すように、例えば、約５°の傾斜角θがついた傾斜受け面１６を設けている。
【００４５】
このような、傾斜受け面１６を設けているため、後述するようにペットボトルＰを吊下げ保持する際には、片持ち状態でペットボトルＰが傾いたとしても、ペットボトルＰのフランジ部Ｐ４に立縁部１５が隙間なく当接することになり、首部Ｐ３でのガタツキを抑えることができる。
【００４６】
係合フック２は、図２に示すように、楕円形状の一部を切欠いた異形のフック形状で構成して、切欠き部分２１から腰ベルト等の帯状体Ｚ（図５参照）を通すことにより、その帯状体Ｚに係合フック２を、引っ掛けるようにしている。なお、この係合フック２を引っ掛ける場所は、腰ベルト等の帯状体Ｚに限定されるものではなく、鞄などの手提げ部分や肩紐部分など紐やロープ状のもの、さらにはズボンやスカートの上縁など、ペットボトルＰを人が携帯するのに便利な「場所」や「もの」であればよい。
【００４７】
この係合フック２には、ペットボトルＰの重みが全て作用するため、できるだけ剛性を高めるように肉厚で構成されている。そして、図４に示すように、その断面２１は、略Ｕ字形状断面に構成されている。
【００４８】
帯状部３は、図２に示すように、係合フック２と首係止部１を一体化するように、両者間で水平方向に伸びている。このうち、係合フック２側には、切欠き部分２１に対応する凹み部３１が形成されている。また、中央位置にはデザイン性を高めるために、例えばハート形開口３２が形成されている。
【００４９】
この帯状部３は、図３、図４に示すように、他の部位よりやや薄肉に構成されている。これは、この帯状部３で折れ曲がり変形を許容するためである。この帯状部３が折れ曲がり変形することで、ペットボトルＰの携帯位置（吊下げ位置）を、使用者が自由に決めることができ、容器ホルダーＨの携帯性を高めることができる。
【００５０】
特に、首係止部１側には、大きな折れ曲がり変形を許容する変形許容部３３が設けられている。この変形許容部３３は、帯状部３に直交する方向に延びる凹凸状の略波形形状（図３参照）で構成しており、広い範囲、具体的には、帯状部３の中央位置から首係止部１の大径孔部１２の中央位置まで設けている。
【００５１】
この変形許容部３３があることで、帯状部３の折り曲げ変形がさらに生じやすくなり、係合フック２や首係止部１での、拗れ変形等をなくすことができる。
【００５２】
一方、この変形許容部３３が首係止部１の大径孔部１２の周囲にまであることで、大径孔部１２の立縁部１５の剛性が高まる。すなわち、図３に示すように、大径孔部１２の立縁部１５に対して変形許容部３３が波形形状で一体化されるため、変形許容部３３が立縁部１５の補強をすることになり、立縁部１５の剛性が高まるのである。
【００５３】
これに対して、大径孔部１２から小径孔部１３側に伸びる周縁リブ部１７では、波形形状などが形成されていないため、この部分の立縁部１５は補強されない。このため、この内側にある凸部１４，１４は位置が変化しやすくなり、ペットボトルＰの首部Ｐ３を、小径孔部１３に嵌め込んだり取り外したりする際の作業を容易に行うことができる。
【００５４】
肩当接部４は、帽子のツバのように、首係止部１から斜め下方位置に伸びる略ヒサシ形状の傾斜面を有する平板部位で構成している。そして、この肩当接部４が後述するように、ペットボトルＰの肩部Ｐ２に当接することで、ペットボトルＰをしっかりと保持するように構成している。
【００５５】
肩当接部４は、図４に示すように、例えば、４５°の傾斜角αで下向きに傾斜するように設定している。このように設定することで、肩当接部４があらゆる種類やサイズのペットボトルＰの肩部Ｐ２に対して確実に当接するようになる。
【００５６】
この肩当接部４は、厚みｔが薄いものの、小径孔部１３の周縁に一体的に設けられ、肩当接部４自体で略円錐面を構成するように設定されているため、比較的剛性が高い。このように肩当接部４の剛性が高いことから、肩当接部４は、ペットボトルＰが揺動してペットボトルＰから大きな荷重を受けても、簡単には変形しない。
【００５７】
また、肩当接部４は、図２に示すように、その端部４１の位置からわかるように小径孔部１３までしか設定されず、凸部１４，１４までは設定されていない。このため、小径孔部１３の周縁が肩当接部４によって補強されて、その形状が確実に保持される。一方、凸部１４，１４では剛性が高まらないため、前記したペットボトルＰの首部Ｐ３の、小径孔部１３への嵌め込みや取り外し作業が困難になるのを防ぐことができる。
【００５８】
次に、このように構成される容器ホルダーＨの使用状態及び作用について、図５で説明する。この図５に示すように、容器ホルダーＨは、ペットボトルＰの首部Ｐ３を首係止部１に係合させて、ペットボトルＰの肩部Ｐ２を肩当接部４に当接させて、吊下げ保持をする。
【００５９】
また、この容器ホルダーＨでペットボトルＰを吊下げ保持する場合には、係合フック２一点で片持ち支持することになるため、ペットボトルＰはやや係合フック２側（図５では右側）を上方にして傾いた状態で保持される。そして、この傾いた状態のペットボトルが容器ホルダーＨの肩当接部４によって、傾き方向の挙動（図５の矢印で示す時計廻り方向の挙動）が抑えられると共に、ペットボトルＰの肩部Ｐ２がシッカリと保持される。
【００６０】
こうして、容器ホルダーＨは、ペットボトルＰの肩部Ｐ２も保持することで、首部Ｐ３だけでなく、肩部Ｐ２でもペットボトルＰを保持するため、ペットボトルＰを安定して保持することができる。
【００６１】
また、この容器ホルダーＨは、二点鎖線で示すように、より大きなサイズのペットボトルＰ´を吊下げ保持する場合においても、肩当接部４が確実にペットボトルＰ´の肩部Ｐ´２に当接して、肩部Ｐ´２を保持する。
【００６２】
よって、この容器ホルダーＨによると、大きなサイズのペットボトルＰ´であっても安定してしっかりと保持できる。
【００６３】
なお、ペットボトルＰの肩部Ｐ２は、どのような大きさ・サイズのペットボトルであっても必ず傾斜しているため、この肩当接部４でほぼ全てのペットボトルが当接することになる。
【００６４】
以上のように、本実施形態の容器ホルダーＨでは、ペットボトルＰの首部Ｐ２を首係止部１で係合することでペットボトルＰを保持して、ペットボトルＰの肩部Ｐ２に対しても、肩当接部４が当接保持することで、ペットボトルＰのガタツキを抑えることができる。
【００６５】
そして、この容器ホルダーＨでは、ペットボトルＰのサイズに関わらず、ペットボトルＰを首部Ｐ３と肩部Ｐ２の複数個所で当接保持できるため、ペットボトルＰを確実に保持できる。
【００６６】
よって、本実施形態の容器ホルダーＨによると、あらゆるサイズのペットボトルＰに対応することで汎用性を高めつつも、ペットボトルＰをガタツキなく安定して保持できる。
【００６７】
また、本実施形態の容器ホルダーＨでは、首係止部１の開口孔１１が略ダルマ形状であり、その開口孔１１の小径孔部１３の隣接位置に肩当接部４を設けている。
【００６８】
これにより、ペットボトルＰの首部Ｐ３を係止する際に、容易に係合操作を行うことができつつも、肩当接部４にペットボトルＰの肩部Ｐ２を当接させることができる。
【００６９】
よって、ペットボトルＰの係合作業を容易にしながらも、肩当接部４でペットボトルＰのガタツキを防いで、ペットボトルＰの保持を確実に行うことができる。
【００７０】
また、本実施形態の容器ホルダーＨは、肩当接部４を、凸部１４，１４の位置を避けた位置の小径孔部１３側に設けている。
【００７１】
これにより、凸部１４，１４の周囲では肩当接部４がなく剛性が低くなり、小径孔部１３の周囲では肩当接部４が存在することで剛性が高くなる。このため、首係止部１の小径孔部１３にペットボトルＰの首部Ｐ３を嵌め込んだり取り外したりする際に、凸部１４，１４が容易に変位するため、嵌め込み操作や取り外し操作を容易に行える。また、ペットボトルＰの首部Ｐ３を小径孔部１３に係合した際には、小径孔部１３の剛性が高く、変形が生じにくいため、ペットボトルＰのガタツキを防ぐことができる。
【００７２】
また、本実施形態の容器ホルダーＨは、肩当接部４を係合フック２の反対側位置に設けている。
【００７３】
これにより、係合フック２で片持ち状態で支持されて傾くペットボトルＰが、反対側に設けられた肩当接部４で、確実に当接保持されることになり、肩当接部４の機能を確実に発揮させることができる。
【００７４】
また、本実施形態の容器ホルダーＨは、帯状部３に波形形状の変形許容部３３を設け、この変形許容部３３を大径孔部１２の周囲まで設けている。
【００７５】
これにより、変形許容部３３が帯状部３の変形を促進して、首係止部１や係合フック２での局所的な変形を防いで応力集中を緩和する。一方、大径孔部１２の周囲まで波形形状があることで、大径孔部１２の剛性は高めることができる。
【００７６】
よって、容器ホルダーＨの破損を防ぐとともに、波形形状を上手く利用して大径孔部１２の変形を抑えることができる。
【００７７】
また、本実施形態の容器ホルダーＨは、首係止部１の帯状部３が伸びる反対側に、上方に盛り上がる傾斜受け面１６を設けている。
【００７８】
これにより、ペットボトルを吊下げ保持した際に、首係止部１の帯状部３の反対側が相対的に下がって傾斜したとしても、傾斜受け面１６があることで、首係止部１とペットボトルＰのフランジ部Ｐ４との間には隙間が発生しない。
【００７９】
よって、ペットボトルＰが片持ち支持で吊下げ保持された場合であっても、ガタツキの発生を抑えて、確実にペットボトルＰを保持することができる。
【００８０】
次に、図６によって、実施形態２の容器ホルダーＨ´について説明する。実施形態１と同様の構成要素については、同一の符号を付して説明を省略する。
【００８１】
この容器ホルダーＨ´も、実施形態１の容器ホルダーＨと同様に、首係止部１、係合フック２、帯状部３、それに肩当接部１０４とで構成している。
【００８２】
この容器ホルダーＨ´では、肩当接部１０４の表面に、デザイン状のアクセントとして、ゴルフボール表面のようにディンプル状の複数の陥没部１０５、１０５…と、その上側に位置する花びら状の４つの隆起部１０６，１０６…と、を設けており、特に、この隆起部１０６の一部は、肩当接部１０４の外縁１０４ａよりも外側に突出するように形成されている。
【００８３】
このように、肩当接部１０４の表面に、ディンプル状の陥没部１０５と花びら状の隆起部１０６を設けることによって、容器ホルダーＨ´が華やかになり、単なる実用品ではなく、アクセサリ品として使用することができる。特に、この肩当接面１０４の装飾に着色を施すと、よりオシャレな携帯品にすることができる。
【００８４】
また、こうした陥没部１０５と隆起部１０６を設けることで、何も設けていない実施形態１の肩当接部４よりも、肩当接部１０４の表面剛性が高まる。このため、ペットボトルＰから荷重を受けた際の肩当接部１０４の変形もより抑えることができる。
【００８５】
なお、この肩当接部１０４の表面のデザインは、これに限定されるものではなく、様々なものが考えられる。例えば、動物や人、さらには装飾品などを設けてもよい。さらに、企業名や人名など刻刷表示して、ノベルティー商品として使用してもよい。
【００８６】
以上、実施形態を説明してきたが、本発明は、その目的の範囲を逸脱しない限りにおいて、適宜、変更をしてもよい。
【００８７】
なお、以上の実施形態では、容器ホルダーＨ、Ｈ´を一体物で構成したが、係合フックと首係止部を別体に構成して、この両者を紐やチェーン等の別の部材で連結してもよい。また、係合フックを設けずに、単に帯状体だけで構成してもよい。
【００８８】
さらに、肩当接部も、これら実施形態のものに限定されるものではなく、例えば、略針金状で外周縁部だけで肩当接部を構成して、内部を空間（穴）としたものであってもよい。
【００８９】
また、肩当接部を、ラバー部材等で構成して、弾性変形するように構成してもよい。この場合には、ペットボトルの肩部との密着力を高めることができる。
【００９０】
加えて、この肩当接部を、首係止部に対して着脱自在となるように構成してもよい。この場合には、携帯する人の気分等によって、複数の肩当接部を切り替えて使うことができる。
【００９１】
また、首係止部も、上述のような開口孔ではなく、一部を開放した略Ｊ字形状のフック状であってもよい。さらに、弾性変形するような部材で構成してもよいし、一部を開閉自在にしたリング部材で構成してもよい。
【産業上の利用可能性】
【００９２】
以上説明したように、本発明にかかる容器ホルダーによれば、ペットボトルや瓶等の容器を人が携帯する際において、適用できる。
【符号の説明】
【００９３】
Ｈ    容器ホルダー
Ｈ´  容器ホルダー
Ｐ    ペットボトル
Ｐ２  肩部
Ｐ３  首部
１    首係止部
２    係合フック（取付部）
３    帯状部（取付部）
４    肩当接部
１１  開口孔
１２  大径孔部
１３  小径孔部
１４  凸部
１６  傾斜受け面（頭部受け面）
３３  変形許容部
【図１】
0005506708.tif 000002
【図２】
0005506708.tif 000003
【図３】
0005506708.tif 000004
【図４】
0005506708.tif 000005
【図５】
0005506708.tif 000006
【図６】
0005506708.tif 000007